(57)【要約】【課題】撮像素子基板の面内方向の位置調整が不要となる撮像素子基板の取付構造を得る。【解決手段】ＣＣＤ基板７６は、調整穴８２と位置決め穴８４が形成されており、下端部が支持部９４で支持され、支持部９４と反対側の上端部に付勢バネ９６が接触されるようになっている。ＣＣＤ基板７６を走査ユニット３２に取付けるとき、まず、位置決め穴８４に位置決めネジ８８がねじ込まれて位置決めされる。続いて、ＣＣＤ基板７６の下端部が支持部９４で支持され、上端部が付勢バネ９６で付勢される。ここで、ＣＣＤ基板７６は、位置決め穴８４が支点となり、調整穴８２の調整代だけ面内方向に移動可能であるが、付勢バネ９６で支持部９４側へ付勢されることで、結像位置に保持される。これにより、ＣＣＤ基板７６の面内方向の位置調整が不要となる。【選択図】図６
2009232279.tif 000002
【特許請求の範囲】
【請求項１】
原稿に照射された光の反射光が結像される撮像素子を備えた撮像素子基板を、画像読取装置の走査体に立てて取付ける撮像素子基板の取付構造であって、
前記撮像素子基板に形成された位置決め穴と、
前記位置決め穴と並んで形成された調整穴と、
前記位置決め穴へ挿通され前記撮像素子基板を前記走査体に締結する位置決め締結部材と、
前記調整穴へ挿通され前記撮像素子基板を前記走査体に締結する前は、前記位置決め締結部材を支点として、前記撮像素子基板を面内方向に移動可能とする調整締結部材と、
前記調整穴の下方で前記撮像素子基板の下端部を支持可能とする支持部材と、
前記撮像素子基板の前記支持部材と反対側の上端部に接触し、前記撮像素子基板を前記支持部材に向けて付勢して前記撮像素子基板を結像位置に保持する付勢部材と、
を有することを特徴とする撮像素子基板の取付構造。
【請求項２】
請求項１に記載の撮像素子基板の取付構造で撮像素子基板が取付けられた走査体と、
前記走査体を走査可能に収納する筐体と、
前記筐体の側壁に形成され、外部から前記位置決め締結部材及び前記調整締結部材の締め付けを可能とする穴部と、
を有することを特徴とする画像読取装置。
【請求項３】
前記筐体に設けられ移動されて前記走査体を前記筐体に固定又は固定解除する固定手段と、
前記側壁と対向して設けられ、移動して前記穴部を遮蔽又は開口する遮蔽板と、
前記固定手段と連動し、前記遮蔽板を移動させる遮蔽板移動手段と、
を有することを特徴とする請求項２に記載の画像読取装置。
【請求項４】
請求項２又は請求項３に記載の画像読取装置と、
前記画像読取装置で読み取られた画像情報に基づいて露光光を出射する露光部と、
前記露光光で形成された潜像を現像剤で顕在化して現像剤像を形成する現像部と、
前記現像部で顕在化された前記現像剤像を記録媒体上に転写する転写部と、
前記転写部で転写された記録媒体上の前記現像剤像を定着する定着部と、
前記転写部から前記定着部へ記録媒体を搬送する搬送部と、
を備えたことを特徴とする画像形成装置。
【発明の詳細な説明】
【技術分野】
【０００１】
本発明は、撮像素子基板の取付構造、画像読取装置、及び画像形成装置に関する。
【背景技術】
【０００２】
画像形成装置（プリンタ）に、フラットベッド構成の画像読取装置（スキャナ）を一体化させた、ＭＦＰ（Multi Function Printer）、ＡＩＯ（All In One）と呼ばれるものがある。画像読取装置は、走査体であるキャリッジに、発光部と、結像光学系と、ＣＣＤ（Charge Coupled Device）素子等からなる撮像素子基板とが取付けられており、キャリッジが走査すると、発光部から出射した光が画像で反射し、結像光学系を通してＣＣＤ素子に結像されて、所定の画像データが得られる。
【０００３】
キャリッジは、輸送時の衝撃等により、光学部品の取付け位置等が変わる可能性があり、工場からユーザーへ届ける時の輸送時や、ユーザーからの返品時に、キャリッジを画像読取装置の本体に固定する必要がある。このため、キャリッジを固定するための固定手段を設けた画像読取装置がある（例えば、特許文献１、２参照）。
【０００４】
特許文献１、２の画像読取装置は、キャリッジを走査方向の端部側へ寄せて固定するようになっている。
【特許文献１】特開２００３−２９５３３８
【特許文献２】特開２００５−２３４０７３
【発明の開示】
【発明が解決しようとする課題】
【０００５】
しかしながら、特許文献１、２の画像読取装置は、ゆるんだ撮像素子基板をキャリッジに固定する締結部材を、ユーザーが締め直すものではなかった。
【０００６】
本発明は、撮像素子基板の面内方向の位置調整が不要となる撮像素子基板の取付構造、画像読取装置、及び画像形成装置を得ることを目的とする。
【課題を解決するための手段】
【０００７】
本発明の請求項１に係る撮像素子基板の取付構造は、原稿に照射された光の反射光が結像される撮像素子を備えた撮像素子基板を、画像読取装置の走査体に立てて取付ける撮像素子基板の取付構造であって、前記撮像素子基板に形成された位置決め穴と、前記位置決め穴と並んで形成された調整穴と、前記位置決め穴へ挿通され前記撮像素子基板を前記走査体に締結する位置決め締結部材と、前記調整穴へ挿通され前記撮像素子基板を前記走査体に締結する前は、前記位置決め締結部材を支点として、前記撮像素子基板を面内方向に移動可能とする調整締結部材と、前記調整穴の下方で前記撮像素子基板の下端部を支持可能とする支持部材と、前記撮像素子基板の前記支持部材と反対側の上端部に接触し、前記撮像素子基板を前記支持部材に向けて付勢して前記撮像素子基板を結像位置に保持する付勢部材と、を有することを特徴としている。
【０００８】
本発明の請求項２に係る画像読取装置は、請求項１に記載の撮像素子基板の取付構造で撮像素子基板が取付けられた走査体と、前記走査体を走査可能に収納する筐体と、前記筐体の側壁に形成され、外部から前記位置決め締結部材及び前記調整締結部材の締め付けを可能とする穴部と、を有することを特徴としている。
【０００９】
本発明の請求項３に係る画像読取装置は、前記筐体に設けられ移動されて前記走査体を前記筐体に固定又は固定解除する固定手段と、前記側壁と対向して設けられ、移動して前記穴部を遮蔽又は開口する遮蔽板と、前記固定手段と連動し、前記遮蔽板を移動させる遮蔽板移動手段と、を有することを特徴としている。
【００１０】
本発明の請求項４に係る画像形成装置は、請求項２又は請求項３に記載の画像読取装置と、前記画像読取装置で読み取られた画像情報に基づいて露光光を出射する露光部と、前記露光光で形成された潜像を現像剤で顕在化して現像剤像を形成する現像部と、前記現像部で顕在化された前記現像剤像を記録媒体上に転写する転写部と、前記転写部で転写された記録媒体上の前記現像剤像を定着する定着部と、前記転写部から前記定着部へ記録媒体を搬送する搬送部と、を備えたことを特徴としている。
【発明の効果】
【００１１】
請求項１の発明は、撮像素子基板の面内方向の位置調整が不要となる。
【００１２】
請求項２の発明は、本構成を有していない場合に比較して、筐体を分解しないでも、締結部材の締め直しを行うことができる。
【００１３】
請求項３の発明は、本構成を有していない場合に比較して、穴部から筐体内部に粉塵等が侵入しにくくなる。
【００１４】
請求項４の発明は、本構成を有していない場合に比較して、画像ムラが抑えられる。
【発明を実施するための最良の形態】
【００１５】
本発明の撮像素子基板の取付構造、画像読取装置、及び画像形成装置の実施形態を図面に基づき説明する。
【００１６】
図１には、記録用紙上に画像形成を行う画像形成装置１０が示されている。画像形成装置１０は、原稿を読み取る原稿読取部１２と、原稿読取部１２の下部に配置された本体部１４とを有している。本体部１４では、原稿読取部１２で読み取られた画像データに基づいて画像形成が行われる。また、原稿読取部１２上には、当該原稿読取部１２の開閉蓋を兼用する原稿搬送装置１６が設けられている。
【００１７】
原稿搬送装置１６には、複写しようとする原稿を（複数枚の場合は重ねて）載せるフィーダートレイ１８が設けられている。また、フィーダートレイ１８の下方には、フィーダートレイ１８から送り込まれて読み取られた原稿が排出される排紙トレイ２０が設けられている。ここで、原稿搬送装置１６及び原稿読取部１２では、排紙トレイ２０上に載せられた原稿（複数枚重ねられている場合は、その最上層の原稿）が、図示しない原稿反転ユニットへ送り込まれ、反転しながら原稿読取部１２のプラテンガラス２２（図２（ａ）参照）上の読取領域を通過し、排紙トレイ２０上に排出されることにより、原稿の読み取りが行われる。
【００１８】
本体部１４は、本体下部に３段に渡って配設された給紙トレイ２６と、給紙トレイ２６の上部に配置され画像形成を行う画像形成部１２０とを有している。また、原稿読取部１２には、ユーザが原稿読取、或いは複写指示等を入力操作するための表示部（パネル）及び操作部（テンキー、スタートボタン等）からなるユーザインターフェイス２４が配設されている。ここで、原稿読取部１２で記録用紙のサイズが指定されることで、選択的に給紙トレイ２６から記録用紙が給紙装置（図示省略）によって１枚ずつ引き出され、画像形成部１２０に搬送されるようになっている。
【００１９】
図２に示すように、画像形成部１２０は、本体を構成する筐体１２２に露光装置１２４が固定されており、露光装置１２４に隣接する位置に、画像形成装置１０の各部の動作を制御する制御ユニット４２が設けられている。
【００２０】
露光装置１２４は、原稿読取部１２で読み取られた画像情報に基づいて、図示しない光源から出射された光ビームを回転多面鏡（ポリゴンミラー）で走査し、反射ミラー等の複数の光学部品で反射して、イエロー（Ｙ）、マゼンタ（Ｍ）、シアン（Ｃ）、及び ブラック（Ｋ）の各トナーに対応した光ビーム１２６Ｙ、１２６Ｍ、１２６Ｃ、１２６Ｋを出射するようになっている。光ビーム１２６Ｙ、１２６Ｍ、１２６Ｃ、１２６Ｋは、それぞれ対応する各感光体１２８Ｙ、１２８Ｍ、１２８Ｃ、１２８Ｋに導かれる。
【００２１】
画像形成部１２０の下方側には、前述の給紙トレイ２６が配設されており、給紙トレイ２６の上方には、記録用紙Ｐの先端部位置を調整する一対のレジストロール１２９が設けられている。また、画像形成部１２０の中央には、画像形成ユニット１３０が設けられている。画像形成ユニット１３０は、前述の４つの感光体１２８Ｙ、１２８Ｍ、１２８Ｃ、１２８Ｋを備えており、これらが上下一列に並んでいる。
【００２２】
感光体１２８Ｙ、１２８Ｍ、１２８Ｃ、１２８Ｋの回転方向上流側には、感光体１２８Ｙ、１２８Ｍ、１２８Ｃ、１２８Ｋの表面を帯電する帯電ローラ１３２Ｙ、１３２Ｍ、１３２Ｃ、１３２Ｋが設けられている。また、感光体１２８Ｙ、１２８Ｍ、１２８Ｃ、１２８Ｋの回転方向下流側には、Ｙ、Ｍ、Ｃ、Ｋの各トナーをそれぞれ感光体１２８Ｙ、１２８Ｍ、１２８Ｃ、１２８Ｋ上に現像する現像器１３４Ｙ、１３４Ｍ、１３４Ｃ、１３４Ｋが設けられている。
【００２３】
一方、感光体１２８Ｙ、１２８Ｍには第１中間転写体１３６が接触し、感光体１２８Ｃ、１２８Ｋには第２中間転写体１３８が接触している。そして、第１中間転写体１３６、第２中間転写体１３８には第３中間転写体１４０が接触している。第３中間転写体１４０と対向する位置には、転写ロール１４２が設けられている。ここで、転写ロール１４２と第３中間転写体１４０との間を記録用紙Ｐが搬送され、第３中間転写体１４０上のトナー像を記録用紙Ｐに転写させる。
【００２４】
記録用紙Ｐが搬送される用紙搬送路１４４の下流には、定着装置１４６が設けられている。定着装置１４６は、定着ロール１４８と加圧ロール１５０を有しており、記録用紙Ｐを加熱・加圧してトナー像を記録用紙Ｐに定着させる。トナー像が定着された記録用紙Ｐは、用紙搬送ロール１５２で画像形成部１２０の上部に設けられた排出トレイ２８に排出される。
【００２５】
ここで、画像形成部１２０の画像形成について説明する。
【００２６】
画像形成が開始されると、各感光体１２８Ｙ〜１２８Ｋの表面が帯電ローラ１３２Ｙ〜１３２Ｋによって一様に帯電される。露光装置１２４から出力画像に対応した光ビーム１２６Ｙ〜１２６Ｋが、帯電後の感光体１２８Ｙ〜１２８Ｋの表面に照射され、感光体１２８Ｙ〜１２８Ｋ上に各色分解画像に応じた静電潜像が形成される。この静電潜像に対して、現像器１３４Ｙ〜１３４Ｋが選択的に各色、すなわちＹ〜Ｋのトナーを付与し、感光体１２８Ｙ〜１２８Ｋ上にＹ〜Ｋ色のトナー像が形成される。
【００２７】
その後、マゼンタ用の感光体１２８Ｍから第１中間転写体１３６にマゼンタのトナー像が一次転写される。また、イエロー用の感光体１２８Ｙから第１中間転写体１３６にイエローのトナー像が一次転写され、第１中間転写体１３６上で前記マゼンタのトナー像に重ね合わされる。
【００２８】
一方、同様にブラック用の感光体１２８Ｋから第２中間転写体１３８にブラックのトナー像が一次転写される。また、シアン用の感光体１２８Ｃから第２中間転写体１３８にシアンのトナー像が一次転写され、第２中間転写体１３８上で前記ブラックのトナー像に重ね合わされる。
【００２９】
第１中間転写体１３６へ一次転写されたマゼンタとイエローのトナー像は、第３中間転写体１４０へ二次転写される。一方、第２中間転写体１３８へ一次転写されたブラックとシアンのトナー像も、第３中間転写体１４０へ二次転写される。ここで、先に二次転写されているマゼンタ 、イエローのトナー像と、シアン、ブラックのトナー像とが重ね合わされ、カラー（３色）とブラックのフルカラートナー像が第３中間転写体１４０上に形成される。
【００３０】
二次転写されたフルカラートナー像は、第３中間転写体１４０と転写ロール１４２との間のニップ部に達する。そのタイミングに同期して、レジストロール１２９から記録用紙Ｐが当該ニップ部分に搬送され、記録用紙Ｐ上にフルカラートナー像が三次転写（最終転写）される。
【００３１】
この記録用紙Ｐは、その後、定着装置１４６に送られ、定着ロール１４８と加圧ロール１５０とのニップ部を通過する。その際、定着ロール１４８と加圧ロール１５０とから与えられる熱と圧力との作用により、フルカラートナー像が記録用紙Ｐに定着される。定着後、記録用紙Ｐは用紙搬送ロール１５２により排出トレイ２８に排出され、記録用紙Ｐへのフルカラー画像形成が終了する。
【００３２】
図３（ａ）及び図３（ｂ）に示すように、原稿読取部１２の本体を構成するケース１３の上面には開口が形成されており、当該開口に、透明のガラス板からなり原稿３１が載置されるプラテンガラス２２が嵌め込まれている。なお、原稿搬送装置１６にあるフィーダートレイ１８を用いることができない製本原稿等を、直接プラテンガラス２２に載せて複写する場合は、原稿搬送装置１６を上方へ開放することになる。
【００３３】
プラテンガラス２２の下部の装置内空間部には、原稿３１の読み取りを行う走査ユニット３２が配設されている。走査ユニット３２は、画像形成装置１０の正面から奥側に向かう方向を長手方向（主走査方向）として原稿３１に向けて発光する棒状の光源３４と、光源３４と平行に配置され、原稿３１で反射された光Ｌを反射する複数のミラーからなる反射部３６と、反射部３６で反射された光Ｌを集光するレンズからなる集光部３８と、集光部３８で集光された光Ｌを受光（結像）して電気信号を出力するＣＣＤ（Charge Coupled Device)ラインセンサ４０と、を有している。また、ＣＣＤラインセンサ４０は、画像形成装置１０の本体内に設けられた前述のコントロールユニット４２に接続されている。なお、反射部３６で複数のミラーにより光Ｌを折り返すのは、ＣＣＤラインセンサ４０への結像に所定の光路長を必要とするためである。
【００３４】
ここで、走査ユニット３２が、前記主走査方向と直交する方向（副走査方向：矢印Ｘ）に移動することで、光源３４からの発光光が、原稿３１に記録された画像にライン状に照射される。続いて、原稿３１からの反射光が、反射部３６及び集光部３８を介してＣＣＤラインセンサ４０で受光される。ＣＣＤラインセンサ４０では、光電変換によって画像濃度に応じた電気信号をコントロールユニット４２に出力する。そして、コントロールユニット４２では、得られた電気信号に基づいて照射領域の画像濃度を検出する。このようにして、原稿３１の画像の読み取りが行われる。
【００３５】
一方、プラテンガラス２２の周囲には、原稿セットガイド３０が設けられている。原稿セットガイド３０は、プラテンガラス２２より僅かな凸状の段差となっており、原稿セットガイド３０の段差に接するように原稿３１の角部を合わせることにより、容易に原稿３１の位置決めが行われる。原稿セットガイド３０の周囲で画像形成装置１０の奥側（図の上方）には、原稿搬送装置１６の底面側に設けられたヒンジ部材（図示省略）が固定される固定部４４Ａ、４４Ｂが設けられている。
【００３６】
原稿セットガイド３０の左手前側には、輸送時の振動等で走査ユニット３２が移動するのを防ぐための固定ノブ４６が設けられている。固定ノブ４６は、画像形成装置１０の手前側から奥側へ向けてスライド可能となっており、奥側でロック状態とすることにより、走査ユニット３２が原稿読取部１２内で固定されるようになっている。また、ケース１３の左側壁１３Ａには、貫通穴４８、５０が形成されている。なお、貫通穴４８、５０は、それぞれ後述する貫通穴１０４、１０６と同じ穴径となっている。
【００３７】
図４には、本実施の形態の画像形成装置１０における原稿読取部１２及び本体部１４の駆動を制御するコントロールユニット４２の制御ブロック図が示されている。コントロールユニット４２には、データ経路であるバス５２が設けられており、バス５２には、ＣＰＵ５４、ＲＡＭ５６、ＲＯＭ５８、画像読取Ｉ／Ｆ（インターフェイス）６０、画像出力Ｉ／Ｆ６２、前述のユーザインターフェイス（ＵＩ）２４が接続されている。また、画像読取Ｉ／Ｆ６０には原稿読取部１２が接続され、画像出力Ｉ／Ｆ６２には本体部１４が接続されている。
【００３８】
ここで、ユーザインターフェイス２４で図示しないスタートボタンが操作されると、画像読取Ｉ／Ｆ６０を介して、原稿読取部１２で原稿３１（図３（ｂ）参照）の読み取りが開始される。そして、画像形成が必要なときは、読み取られた原稿３１の画像データに基づいて、画像出力Ｉ／Ｆ６２を介して、本体部１４で、記録用紙に画像形成が行われる。
【００３９】
次に、原稿読取部１２の詳細について説明する。
【００４０】
図５及び図６（ｂ）に示すように、原稿読取部１２内には、走査ユニット３２が配設されている。走査ユニット３２は、主走査方向（矢印Ｙ方向）を長手方向とする略直方体状で、上面が開放された本体ケース６４を有している。本体ケース６４の内部には、前述の光源３４と反射部３６（図３参照）が設けられている。
【００４１】
また、本体ケース６４の上面には、反射部３６の大半を覆うようにしてカバー部材６６が取付けられており、光源３４の上方は、開放され開口部６８が形成されている。これにより、本体ケース６４内部の光源３４から出射された光が、開口部６８を経由して原稿３１で反射して、再度開口部６８を経由して、本体ケース６４内部の反射部３６で反射されるようになっている。
【００４２】
本体ケース６４の主走査方向両端部の下面には、円形の貫通穴７０が形成された挿通部７２が２箇所ずつ突設されている。なお、紙面手前側には挿通部７２Ａ、７２Ｂがあり、奥側には挿通部７２Ｃ、７２Ｄがあるが、挿通部７２Ｃ、７２Ｄは図示を省略している。また、本体ケース６４の主走査方向一端側（手前側）の側壁６４Ａには、略コ字状で上面及び一側面（手前側）が開口された係合部７４が形成されている。
【００４３】
原稿読取部１２のケース１３内には、副走査方向（Ｘ方向）を長手方向として、所定間隔で２本の円柱状のレール部材７１が配設されている。ここで、レール部材７１に走査ユニット３２の貫通穴７０が外挿されることにより、走査ユニット３２が副走査方向に移動可能となる。なお、走査ユニット３２は、図示しないモータ、ギア、ベルト等の駆動手段が、コントロールユニット４２によって制御されることで、副走査方向に駆動される。
【００４４】
前述の固定ノブ４６は、上面に滑り止めのための複数の溝が形成された平板部４６Ａと、平板部４６Ａの下面から下方側へ一対で延設され下端が副走査方向に突出した略レ字状の係合部４６Ｂと、平板部４６Ａの下面から主走査方向の一方（手前側）へ突出した突部４６Ｃと、突部４６Ｃから下方側へ柱状に延設された柱部４６Ｄと、突部４６Ｃから副走査方向の一方（左側）へ柱状に突出した付勢部４６Ｅと、平板部４６Ａの下面で一対の係合部４６Ｂの間から下方側に突設された略半円柱状の突部４６Ｆ（図８（ａ）参照）と、で構成されている。
【００４５】
ここで、図８（ａ）に示すように、原稿読取部１２のケース１３の上面に形成された略矩形状の開口部４７に、係合部４６Ｂ（図示省略）が係合されることにより、固定ノブ４６が、主走査方向にスライド可能となっている。また、開口部４７は、一部に底部４７Ａが形成されており、底部４７Ａの上面に略半円柱状の突部４７Ｂが形成されている。これにより、固定ノブ４６がスライドすると、柱部４６Ｄの先端が走査ユニット３２の係合部７４と係合すると共に、突部４６Ｆが突部４７Ｂを乗り越えて、ケース１３に走査ユニット３２が固定される。
【００４６】
一方、図５及び図６（ｂ）に示すように、走査ユニット３２において、本体ケース６４の光源３４と反対側の側壁６４Ｂには、図示しない開口が形成されている。この開口と対向する位置には、前述のＣＣＤラインセンサ４０（図３（ｂ）参照）が配置される。ＣＣＤラインセンサ４０は、回路パターンが形成された略矩形状のＣＣＤ基板７６に半田付けされている。
【００４７】
図６（ｂ）及び図７（ａ）〜（ｃ）に示すように、ＣＣＤ基板７６は、中央から左端までの間の下端の一部に、切欠部７６Ａが形成されている。また、ＣＣＤ基板７６の中央から右端までの間の略中央には、締結用の調整穴８２と位置決め用の位置決め穴８４が形成されている。調整穴８２の穴径は、所定の調整代を含んで位置決め穴８４の穴径よりも大きくなっており、調整穴８２には調整ネジ８６が挿通され、位置決め穴８４には位置決めネジ８８がねじ込まれて締結されるようになっている。
【００４８】
一方、本体ケース６４には、側壁６４Ｂ側に図示しないネジ等によりブラケット７８、８０が取付けられている。ブラケット７８は、略Ｌ字状に折り曲げられた立設部分の形状が正面視にて略コ字状となっており、このコ字状の両先端部に、調整穴８２の穴径よりも小さい穴径で調整ネジ８６がねじ込まれる第１締結穴９０と、位置決め穴８４の穴径と等しい穴径で位置決めネジ８８がねじ込まれる第２締結穴９２とが形成されている。また、ブラケット８０は、略水平方向に張り出した状態となっており、上面に略円柱状のピンからなる支持部９４が設けられている。
【００４９】
ＣＣＤ基板７６は、支持部９４と対向する上端部に、付勢バネ９６が接触されるようになっている。付勢バネ９６は、略Ｔ字状の固定部９６Ａと、固定部９６Ａの先端で略水平方向に張り出した部位が逆へ字状に折り曲げられた２箇所の接触部９６Ｂとで構成されている。ここで、接触部９６ＢがＣＣＤ基板７６の上端部に接触し、固定部９６Ａがカバー部材６６上面にネジ等で固定されることにより、ＣＣＤ基板７６が、本体ケース６４に取付けられる。
【００５０】
図５及び図６（ａ）に示すように、ＣＣＤ基板７６の手前側（本体ケース６４と反対側）には、ＣＣＤ基板７６と略平行に略矩形状のシャッター部材１０２が配置されている。シャッター部材１０２は、調整ネジ８６の外径よりも大きい内径の貫通穴１０４と、位置決めネジ８８の外径よりも大きい内径の貫通穴１０６が形成されている。また、シャッター部材１０２の一端（手前側）は、略Ｌ字状に折り曲げられ、接触部１０２Ａが形成されている。
【００５１】
一方、ケース１３（図３参照）の底面には、突部１０８が立設されており、突部１０８の上部に形成された穴部（図示省略）にコイルばね１１０の一端が係合されている。コイルばね１１０の他端は、シャッター部材１０２の接触部１０２Ａの略中央に形成された穴部（図示省略）に係合されている。また、ケース１３の左側壁１３Ａの内面には、略Ｌ字状の保持部１１２が設けられている。保持部１１２は、シャッター部材１０２の上下端部に挟むように配置されており、ここでは、合計２組（４箇所）に設けられている。
【００５２】
シャッター部材１０２は、保持部１１２で保持されることにより、主走査方向（矢印Ｙ方向）にスライド可能となっている。なお、固定ノブ４６がスライドしたときに、シャッター部材１０２の接触部１０２Ａと固定ノブ４６の付勢部４６Ｅとが接触するように、予めこれらの高さが設定されている。また、固定ノブ４６がスライドしてケース１３に固定されたとき、貫通穴１０４を通して調整ネジ８６が視認及び締結作業可能な配置となっており、貫通穴１０６を通して位置決めネジ８８が視認及び締結作業可能な配置となっている。
【００５３】
次に、本発明の実施形態の作用について説明する。
【００５４】
まず、走査ユニット３２の組立時のＣＣＤ基板７６の取付け手順について説明する。
【００５５】
図７（ａ）に示すように、矢印Ｚ方向（鉛直下方）にＣＣＤ基板７６が移動され、支持部９４上に切欠部７６Ａが載置される。これによりＣＣＤ基板７６の一端が支持される。そして、ブラケット７８の第２締結穴９２とＣＣＤ基板７６の位置決め穴８４とが連通した状態で、位置決めネジ８８がねじ込まれ、ＣＣＤ基板７６がブラケット７８に仮留めされる。なお、仮留めとは、ＣＣＤ基板７６を面内方向に僅かにスライド移動させることが可能な程度に、位置決めネジ８８を締結することである。
【００５６】
ここで、第２締結穴９２と位置決め穴８４の穴径が等しく、位置決めネジ８８の中心と、第２締結穴９２及び位置決め穴８４の中心とが一致した状態で締結されるので、ブラケット７８（本体ケース６４）に対してＣＣＤ基板７６の右側が位置決めされる。
【００５７】
続いて、図７（ｂ）に示すように、ブラケット７８の第１締結穴９０とＣＣＤ基板７６の調整穴８２とが連通した状態で、調整ネジ８６がねじ込まれる。調整ネジ８６も位置決めネジ８８と同様に仮留め状態となっている。
【００５８】
続いて、図７（ｃ）に示すように、ＣＣＤ基板７６の上端面で支持部９４と対向する位置に付勢バネ９６の接触部９６Ｂが接触されると共に、付勢バネ９６の固定部９６Ａが、カバー部材６６の上面に固定される。このとき、ＣＣＤ基板７６は、位置決めネジ８８の中心が支点となり、調整穴８２の調整代の分だけ面内方向に移動可能となっているが、付勢バネ９６により支持部９４側へ付勢されるため、結像位置（設計位置）に保持される。
【００５９】
続いて、ＣＣＤ基板７６は、調整ネジ８６及び位置決めネジ８８が、所定トルクのドライバで完全に締結され、走査ユニット３２の本体ケース６４に固定される。ここで、例えば輸送等により画像形成装置１０が振動し、ＣＣＤ基板７６の取付け箇所に振動が生じても、ＣＣＤ基板７６は、付勢バネ９６で支持部９４側へ付勢されているため、結像位置に保持される。これにより、輸送後のＣＣＤ基板７６の面内方向の位置調整が不要となる。
【００６０】
次に、走査ユニット３２の固定について説明する。
【００６１】
図８（ａ）、図８（ｂ）、及び図９に示すように、画像形成装置１０の移送等で走査ユニット３２を固定するとき、固定ノブ４６を矢印Ｙ方向にスライドさせる。固定ノブ４６の突部４６Ｆが突部４７Ｂを乗り越えるまでスライドさせると、柱部４６Ｄが係合部７４と係合すると共に、付勢部４６Ｅが接触部１０２Ａを付勢して、シャッター部材１０２が矢印Ｙ方向に移動する。
【００６２】
走査ユニット３２は、柱部４６Ｄと係合部７４とが係合することにより、副走査方向及び主走査方向の移動が規制され、ケース１３内に固定される。なお、突部４６Ｆと突部４７Ｂが係合しているため、コイルばね１１０による戻り力（矢印Ｙ方向と逆方向の力）が付勢部４６Ｅに作用しても、固定ノブ４６は固定状態を保持する。
【００６３】
一方、シャッター部材１０２は、固定ノブ４６が元の位置（非固定位置）にあるとき、ケース１３の貫通穴４８、５０を塞いでいるが、固定ノブ４６が固定位置（走査ユニット３２を固定する位置）にスライドされるときには、矢印Ｙ方向に移動して、貫通穴４８と貫通穴１０４、貫通穴５０と貫通穴１０６をそれぞれ連通状態とする。
【００６４】
これにより、例えば、画像形成装置１０の移送後、振動等の影響により調整ネジ８６及び位置決めネジ８８の締め付けがゆるんだとしても、左側壁１３Ａの貫通穴４８及び貫通穴１０４を介して、又は貫通穴５０及び貫通穴１０６を介して、調整ネジ８６又は位置決めネジ８８をドライバ１２０で締め直すことが容易となる。このように、左側壁１３Ａの貫通穴４８、５０から調整ネジ８６、位置決めネジ８８をそれぞれ締め直すことができるので、原稿読取部１２のケース１３を分解しなくて済む。
【００６５】
また、固定ノブ４６の固定を解除したとき、シャッター部材１０２が、コイルばね１１０の戻り力によって矢印Ｙ方向と逆方向へ移動して貫通穴４８、５０を遮蔽する。これにより、画像形成装置１０の使用時には、貫通穴４８、５０からケース１３内部に粉塵等が侵入するのを抑えられる。
【００６６】
なお、本発明は上記の実施形態に限定されない。
【００６７】
ＣＣＤラインセンサ４０に換えてＣＭＯＳセンサを用いて、ＣＩＳ（Contact Image Sensor）方式で走査ユニットを構成してもよい。また、シャッター部材１０２の移動手段として、例えば、固定ノブ４６をスライドさせたときにスイッチがＯＮとなり、シャッター部材１０２を移動させるモータ、ギア等を用いてもよい。
【００６８】
シャッター部材１０２の移動方向は、水平方向に限らず、鉛直方向であってもよい。
【図面の簡単な説明】
【００６９】
【図１】本発明の実施形態に係る画像形成装置の全体図である。
【図２】本発明の実施形態に係る画像形成部の構成図である。
【図３】（ａ）本発明の実施形態に係る原稿読取部の斜視図である。（ｂ）本発明の実施形態に係る原稿読取部を模式的に示した断面図である。
【図４】本発明の実施形態に係るコントロールユニットの構成図である。
【図５】本発明の実施形態に係る走査体の斜視図である。
【図６】（ａ）本発明の実施形態に係る遮蔽板の取付け状態を示す斜視図である。（ｂ）本発明の実施形態に係る走査体への撮像素子基板の取付け状態を示す斜視図である。
【図７】本発明の実施形態に係る走査体への撮像素子基板の取付け手順を示す工程図である。
【図８】（ａ）本発明の実施形態に係る固定手段の固定状態を示す断面図である。（ｂ）本発明の実施形態に係る遮蔽板の移動状態を示す斜視図である。
【図９】本発明の実施形態に係る画像読取装置の側壁の穴部にドライバが挿通される状態を示す斜視図である。
【符号の説明】
【００７０】
１０  画像形成装置（画像形成装置）
１２  原稿読取部（画像読取装置）
１３  ケース（筐体）
１３Ａ  左側壁（側壁）
３１  原稿（原稿）
３２  走査ユニット（走査体）
４０  ＣＣＤラインセンサ（撮像素子）
４６  固定ノブ（固定手段）
４６Ｅ  付勢部（遮蔽板移動手段）
４８  貫通穴（穴部）
５０  貫通穴（穴部）
７６  ＣＣＤ基板（撮像素子基板）
８２  調整穴（調整穴）
８４  位置決め穴（位置決め穴）
８６  調整ネジ（調整締結部材）
８８  位置決めネジ（位置決め締結部材）
９４  支持部（支持部材）
９６  付勢バネ（付勢部材）
１０２  シャッター部材（遮蔽板）
１０２Ａ  接触部（遮蔽板移動手段）
１２４  露光装置（露光部）
１３４  現像器（現像部）
１４２  転写ロール（転写部）
１４４  用紙搬送路（搬送部）
１４６  定着装置（定着部）
Ｐ  記録用紙（記録媒体）
【図１】
2009232279.tif 000003
【図２】
2009232279.tif 000004
【図３】
2009232279.tif 000005
【図４】
2009232279.tif 000006
【図５】
2009232279.tif 000007
【図６】
2009232279.tif 000008
【図７】
2009232279.tif 000009
【図８】
2009232279.tif 000010
【図９】
2009232279.tif 000011